【手続補正書】
【提出日】平成21年3月24日(2009.3.24)
【手続補正１】
【補正対象書類名】特許請求の範囲
【補正対象項目名】請求項９
【補正方法】変更
【補正の内容】
【請求項９】
複数の記録素子を第１の方向に対して配列させてなる記録ヘッドと被記録媒体とを前記第１の方向と略直交する第２の方向に相対移動させるとともに、前記記録素子の駆動によって前記被記録媒体上にドットを記録して画像を形成する画像形成方法であって、
前記記録ヘッドの各記録素子により前記被記録媒体上に記録されるドットの記録状態に基づき、各記録素子の記録特性を表す特性情報を取得する記録素子特性情報取得工程と、
前記記録ヘッドにおける前記第１の方向に対する前記記録素子の隣接関係と前記被記録媒体上に記録されるドットの隣接関係が保存されるような仮想的な記録素子の配列を設定し、当該仮想的な記録素子位置と実際の記録素子位置の対応関係を記憶する仮記録素子変換工程と、
前記記録ヘッドの各記録素子の記録特性に起因するスジムラを近隣記録素子との相関によって補正するように、前記仮想的な各記録素子に対応する画素の信号を補正する補正関数を求める補正関数演算工程と、
各画素が多値の階調値によって表現される多値画像データのうち、全画素均一な階調値を有する単一濃度画像のデータの入力に対して、前記補正関数を用いた補正を行い、前記仮想的な記録素子各位置について階調値ごとの補正記録素子信号を求め補正記録素子信号演算工程と、
前記補正記録素子信号演算工程により階調値ごとに生成された補正記録素子信号を、前記第１の方向に沿って所定数のブロック単位で区画することによって得られる各ブロックの補正記録素子信号列と前記入力された単一濃度画像のデータの画素位置とを対応付けた補正記録素子信号テーブルを生成する補正記録素子信号テーブル生成工程と、
前記補正記録素子信号テーブル生成工程によって階調値ごとに生成された前記補正記録素子信号テーブルを記憶する前記補正記録素子信号テーブル記憶工程と、
前記補正記録素子信号の値が示す階調を表現する１次元のドット配列を生成し、前記補正記録素子信号の各値に対応した１次元ドットパターンテーブルを生成する１次元ドットターンテーブル生成工程と、
前記１次元ドットターンテーブル生成工程によって階調値ごとに生成された前記１次元ドットターンテーブルを記憶する前記１次元ドットターンテーブル記憶工程と、
前記記録ヘッドによる画像形成の対象として入力された多値画像データの画素の位置と階調値に基づいて、前記補正記録素子信号テーブルから該当する補正記録素子信号を選択することにより、当該入力された多値画像データから前記複数の記録素子の各位置に対応した１次元の信号列に変換する補正記録素子信号変換工程と、
前記補正記録素子信号変換工程で得られた前記１次元の信号列の各値に対応する１次元ドットパターンテーブルから所定のドット画素数分のドットパターンを読み出すことにより、前記１次元の信号列の各値をそれぞれ前記第２の方向に沿った１次元のドットパターンに変換する１次元ドットパターン変換工程と、
前記１次元ドットパターン変換工程によって生成されたドット配置データと前記仮記録素子変換工程によって規定された前記仮想的な記録素子位置と実際の記録素子位置の対応関係に基づいて、前記実際の記録素子の駆動を制御する記録制御工程と、
を備えたことを特徴とする画像形成方法。
【手続補正２】
【補正対象書類名】明細書
【補正対象項目名】００２４
【補正方法】変更
【補正の内容】
【００２４】
すなわち、画像Ｂの位置(x，y)の画素の階調値Ｉb(x,y)に対して、階調値毎に作成されたドットパターンテーブルの該当する位置(mod(x/(K/k)), mod(y/(L/l)))にアクセスして、k×lサイズのドットパターンを出力する。
【手続補正３】
【補正対象書類名】明細書
【補正対象項目名】０１８１
【補正方法】変更
【補正の内容】
【０１８１】
図２７は、本例のインクジェット記録装置１１０における画像処理に関連する要部ブロック図であり、図２８は、図２７に示した濃度パターン処理部２１８の詳細な構成を示すブロック図である。
【手続補正４】
【補正対象書類名】明細書
【補正対象項目名】０１９１
【補正方法】変更
【補正の内容】
【０１９１】
具体的には、仮ノズルを導入した際に、仮ノズル位置と実ノズル位置との対応関係（変換情報）を記憶しておいた対応情報格納部２４６の情報を参照して、位置関係を入れ換える処理を行う。こうして、実ノズル位置と対応付けられたドット配置データを基に、各ノズルのアクチュエータ（図２２の符号１５８）を駆動するためのインク吐出データが生成される。
【手続補正５】
【補正対象書類名】明細書
【補正対象項目名】０２０６
【補正方法】変更
【補正の内容】
【０２０６】
例えば、注目する位置について乱数の発生に基づいて１次元ドットパターンテーブルの中から変換候補となるドットパターン（ドット列）を抽出し、この変換候補のドット列と既変換結果のドット列（好ましくは、複数のドット列）との相関を計算して、第２の方向の位置に関してドットの分布の平準を評価し、所定の平準を超える場合には変換候補を破棄して、再度変換候補を選び直し、所定の平準が達成されるドット列を採用する。
【手続補正６】
【補正対象書類名】明細書
【補正対象項目名】０２１３
【補正方法】変更
【補正の内容】
【０２１３】
発明（１１）：多値の入力画像に対して多値誤差拡散の処理を行い、前記入力画像よりも階調数の少ない階調数の前記多値画像データを生成する工程を含むことを特徴とする発明（７）乃至（１０）の何れか１項に記載の画像処理方法。
【手続補正７】
【補正対象書類名】明細書
【補正対象項目名】０２２５
【補正方法】変更
【補正の内容】
【０２２５】
発明（１３）：複数の記録素子を第１の方向に対して配列させてなる記録ヘッドと被記録媒体とを前記第１の方向と略直交する第２の方向に相対移動させるとともに、前記記録素子の駆動によって前記被記録媒体上にドットを記録して画像を形成する画像形成方法であって、前記記録ヘッドの各記録素子により前記被記録媒体上に記録されるドットの記録状態に基づき、各記録素子の記録特性を表す特性情報を取得する記録素子特性情報取得工程と、前記記録ヘッドにおける前記第１の方向に対する前記記録素子の隣接関係と前記被記録媒体上に記録されるドットの隣接関係が保存されるような仮想的な記録素子の配列を設定し、当該仮想的な記録素子位置と実際の記録素子位置の対応関係を記憶する仮記録素子変換工程と、前記記録ヘッドの各記録素子の記録特性に起因するスジムラを近隣記録素子との相関によって補正するように、前記仮想的な各記録素子に対応する画素の信号を補正する補正関数を求める補正関数演算工程と、各画素が多値の階調値によって表現される多値画像データのうち、全画素均一な階調値を有する単一濃度画像のデータの入力に対して、前記補正関数を用いた補正を行い、前記仮想的な記録素子各位置について階調値ごとの補正記録素子信号を求め補正記録素子信号演算工程と、前記補正記録素子信号演算工程により階調値ごとに生成された補正記録素子信号を、前記第１の方向に沿って所定数のブロック単位で区画することによって得られる各ブロックの補正記録素子信号列と前記入力された単一濃度画像のデータの画素位置とを対応付けた補正記録素子信号テーブルを生成する補正記録素子信号テーブル生成工程と、前記補正記録素子信号テーブル生成工程によって階調値ごとに生成された前記補正記録素子信号テーブルを記憶する前記補正記録素子信号テーブル記憶工程と、前記補正記録素子信号の値が示す階調を表現する１次元のドット配列を生成し、前記補正記録素子信号の各値に対応した１次元ドットパターンテーブルを生成する１次元ドットターンテーブル生成工程と、前記１次元ドットターンテーブル生成工程によって階調値ごとに生成された前記１次元ドットターンテーブルを記憶する前記１次元ドットターンテーブル記憶工程と、前記記録ヘッドによる画像形成の対象として入力された多値画像データの画素の位置と階調値に基づいて、前記補正記録素子信号テーブルから該当する補正記録素子信号を選択することにより、当該入力された多値画像データから前記複数の記録素子の各位置に対応した１次元の信号列に変換する補正記録素子信号変換工程と、前記補正記録素子信号変換工程で得られた前記１次元の信号列の各値に対応する１次元ドットパターンテーブルから所定のドット画素数分のドットパターンを読み出すことにより、前記１次元の信号列の各値をそれぞれ前記第２の方向に沿った１次元のドットパターンに変換する１次元ドットパターン変換工程と、前記１次元ドットパターン変換工程によって生成されたドット配置データと前記仮記録素子変換工程によって規定された前記仮想的な記録素子位置と実際の記録素子位置の対応関係に基づいて、前記実際の記録素子の駆動を制御する記録制御工程と、を備えたことを特徴とする画像形成方法。
【手続補正８】
【補正対象書類名】図面
【補正対象項目名】図１１
【補正方法】変更
【補正の内容】
【図１１】
2008087289.tif 000001